(57)【特許請求の範囲】
【請求項１】
前方に撮影光学系を臨ませたカメラ本体の上面後部に、前後に延在する電子式ビューファインダー装置が設けられ、
前記電子式ビューファインダー装置は前記カメラ本体に前部が上下に揺動可能に結合され、その延在方向を前後に向けた収納位置と、その延在方向を前部よりも後部が上方に位置するように傾斜する傾斜位置との間で揺動する撮像装置であって、
前記カメラ本体には、前記電子式ビューファインダー装置が前記収納位置に位置した状態で前記電子式ビューファインダー装置の底面に臨む第１の壁部が設けられ、
前記第１の壁部の後部の箇所は、前端を支点として上下に揺動可能な板体で構成され、
前記第１の壁部および前記板体の下方の箇所に、メモリカードの装脱を可能としメモリカードの幅方向を前記カメラ本体の左右に向け前後方向を前記カメラ本体の前後に向けて収納されるメモリカード収納室がその装脱口を後方に向けて設けられ、
前記板体は、前記メモリーカード収納室および前記装脱口を閉塞する第１の揺動位置と、前記板体の後部が上方に移動し前記装脱口を開放する第２の揺動位置との間で揺動し、
前記傾斜位置は、前記電子式ビューファインダー装置の後部が最も上方に位置した傾斜限界位置を含み、
前記電子式ビューファインダー装置が前記傾斜限界位置に位置し、前記板体が前記第２の揺動位置に位置した状態で、前記電子式ビューファインダー装置の底面と前記板体との間に隙間が確保され、
前記板体が前記第１の揺動位置に位置した際に、前記板体を前記第１の揺動位置に係止保持する係止機構が設けられ、
前記板体を前記第１の揺動位置から第２の揺動位置に付勢する付勢手段が設けられ、前記板体の前記第２の揺動位置は、前記カメラ本体に設けられたストッパが前記板体の上面に当接することで決定される
ことを特徴とする撮像装置。
【請求項２】
前記カメラ本体の上面後部に、上方および後方に開放状の収納凹部が前後に延在して設けられ、
前記電子式ビューファインダー装置は、収納凹部に前部を支点に揺動可能に設けられ、
前記収納位置で前記電子式ビューファインダー装置は前記収納凹部に収納され、前記第１の壁部は、前記収納凹部の底面を構成している
ことを特徴とする請求項１記載の撮像装置。
【請求項３】
前記板体は、前記第１の揺動位置で前記第１の壁部と同一面上に延在する基板部と、前記基板部の先端から屈曲し前記第１の揺動位置で前記装脱口を閉塞し前記第２の揺動位置で前記装脱口を開放する屈曲板部とを備えている
ことを特徴とする請求項１記載の撮像装置。
【請求項４】
前記屈曲板部は、前記板体が前記第１の揺動位置で前記カメラ本体の後面と連続状に延在する
ことを特徴とする請求項３記載の撮像装置。
【請求項５】
前記電子式ビューファインダー装置が前記収納位置に位置した状態で、前記電子式ビューファインダー装置の上面は前記カメラ本体の上面と連続状に延在している
ことを特徴とする請求項２記載の撮像装置。
【請求項６】
前記電子式ビューファインダー装置が前記収納位置に位置し、前記板体が前記第１の揺動位置に位置した状態で、前記電子式ビューファインダー装置の底面の後端と前記板体の上面後端とは近接している
ことを特徴とする請求項１記載の撮像装置。
【請求項７】
前記電子式ビューファインダー装置が前記収納位置に位置し、前記板体が前記第１の揺動位置に位置した状態で、前記電子式ビューファインダー装置の底面の一部と前記板体の上面の一部とは当接している
ことを特徴とする請求項１記載の撮像装置。
【請求項８】
前記電子式ビューファインダー装置の後端はアイカップで構成され、前記板体が前記第１の揺動位置に位置した状態で、前記アイカップの後端は前記板体の後端よりも後方に位置している
ことを特徴とする請求項１記載の撮像装置。
【請求項９】
前記カメラ本体に前記撮影光学系を通して被写体像を撮像する撮像素子が設けられ、前記撮像素子で捉えた画像を前記メモリカード収納室に収納されたメモリカードに記録し、または、前記メモリカードに記録された画像を再生する制御手段が設けられている
ことを特徴とする請求項１記載の撮像装置。
【発明の詳細な説明】
【技術分野】
【０００１】
本発明は撮像装置に関する。
【背景技術】
【０００２】
ビデオカメラなどの撮像装置として、画像データや音声データを記録する記録媒体としてメモリカード（カード状記録媒体）を用いるものが提供されている。
多くの場合、このような撮像装置では、メモリカードを装脱するメモリカード収納室を前後に延在させて形成し、その装脱口をカメラ本体の後面の箇所に臨ませている（特許文献１参照）。
したがって、カメラ本体の後面には、メモリカード収納室の装脱口を設けるためのスペースを確保しなくてはならない。
【特許文献１】特開２０００−３２２５１８号公報
【発明の開示】
【発明が解決しようとする課題】
【０００３】
ところで、近年、撮像装置の小型化が図られており、メモリカードの取り扱いを容易かつ確実に行うとともに、メモリカード収納室および装脱口を如何にして配置するかが大きな問題となっている。
一方、撮像装置として、カメラ本体の後部に上下に揺動可能に設けられた電子式ビューファインダー装置を備えたものがある。
本発明は、この電子式ビューファインダー装置の下方のデッドスペースに着目してなされたものであり、その目的は、小型化を図るとともに使い勝手の向上を図る上で有利な撮像装置を提供することにある。
【課題を解決するための手段】
【０００４】
上述の目的を達成するため、本発明は、前方に撮影光学系を臨ませたカメラ本体の上面後部に、前後に延在する電子式ビューファインダー装置が設けられ、前記電子式ビューファインダー装置は前記カメラ本体に前部が上下に揺動可能に結合され、その延在方向を前後に向けた収納位置と、その延在方向を前部よりも後部が上方に位置するように傾斜する傾斜位置との間で揺動する撮像装置であって、前記カメラ本体には、前記電子式ビューファインダー装置が前記収納位置に位置した状態で前記電子式ビューファインダー装置の底面に臨む第１の壁部が設けられ、前記第１の壁部の後部の箇所は、前端を支点として上下に揺動可能な板体で構成され、前記第１の壁部および前記板体の下方の箇所に、メモリカードの装脱を可能としメモリカードの幅方向を前記カメラ本体の左右に向け前後方向を前記カメラ本体の前後に向けて収納されるメモリカード収納室がその装脱口を後方に向けて設けられ、前記板体は、前記メモリーカード収納室および前記装脱口を閉塞する第１の揺動位置と、前記板体の後部が上方に移動し前記装脱口を開放する第２の揺動位置との間で揺動し、前記傾斜位置は、前記電子式ビューファインダー装置の後部が最も上方に位置した傾斜限界位置を含み、前記電子式ビューファインダー装置が前記傾斜限界位置に位置し、前記板体が前記第２の揺動位置に位置した状態で、前記電子式ビューファインダー装置の底面と前記板体との間に隙間が確保され、前記板体が前記第１の揺動位置に位置した際に、前記板体を前記第１の揺動位置に係止保持する係止機構が設けられ、前記板体を前記第１の揺動位置から第２の揺動位置に付勢する付勢手段が設けられ、前記板体の前記第２の揺動位置は、前記カメラ本体に設けられたストッパが前記板体の上面に当接することで決定されることを特徴とする。
【発明の効果】
【０００５】
そのため、本発明によれば、電子式ビューファインダー装置の直下のデッドスペースにメモリカード収納室およびその装脱口を配置したので、カメラ本体の後面の小型化を図る上で有利となる。
また、板体または蓋体により装脱口が閉塞されていれば、メモリカードに対するメモリカード収納室の保持機構による保持状態が仮に解除されてもメモリカードが装脱口から脱落することを確実に防止でき使い勝手を向上する上で有利となる。
【発明を実施するための最良の形態】
【０００６】
（第１の実施の形態）
次に本発明の実施の形態について図面を参照して説明する。
図１、図２は第１の実施の形態の撮像装置１０の構成を示す斜視図、図３は撮像装置１０の制御系の構成を示すブロック図である。
【０００７】
図１、図２に示すように、本実施の形態の撮像装置１０はビデオカメラである。
撮像装置１０は、カメラ本体１１と、カメラ本体１１に設けられた電子式ビューファインダー装置８０およびメモリカード収納室９０とを備えている。
カメラ本体１１の外装を構成するケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前後に延在し、その前部がケース１２の前面に臨むように設けられている。撮影光学系１４はズームレンズを有し、ズーム率が連続的に可変できるように構成されている。
鏡筒１６の後端には撮影光学系１４によって導かれた被写体像を撮像する撮像素子１８（図３参照）が設けられている。
図１に示すように、ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２が設けられている。
図２に示すように、ケース１２の右側部には、画像データや音声データを記録するディスク状記録媒体２（図３参照）が装脱可能に収容される収容部２６が設けられ、収容部２６は開閉蓋２６０４により開閉される。
また、図２３に示すように、ケース１２の右側面には、前後方向に延在するグリップベルト２８が設けられている。
グリップベルト２８は、両端がケース１２の前部と後部に連結されたベルト本体２８０２と、ベルト本体２８０２の中間箇所を覆う甲当てパッド２８０４とを有している。
また、ケース１２の上面前部には、音声を収音するためのマイクロフォン５２が設けられている。
図１、図２に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０などが設けられている。
【０００８】
図３に示すように、撮像装置１０には、映像信号用増幅回路４２、画像データ処理部４４、マイクロフォン４６、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用コネクタ６６、ズーム駆動部６８などが設けられている。
また、撮像装置１０には、電源スイッチ７０、静止画撮影用スイッチ７２、ズーム用スイッチ７４、モード切り換え用スイッチ７６、動画撮影用スイッチ７８が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６で収音された音声信号はマイクロフォン用増幅回路４８で増幅され、音声データ処理回路５０によって所定の信号処理がなされ音声データとして記録再生回路５６に供給される。
【０００９】
記録再生回路５６は、画像データ処理部４４から供給された動画データおよび静止画データや音声データ処理回路５０から供給された音声データをコントロール回路５８の制御にしたがって記録再生機構６０に供給し、記録再生機構６０は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介してメモリカード用コネクタ６６に装着された記録媒体としてのメモリカード４に記録する。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１０】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
すなわち、本実施の形態では、ディスク状記録媒体２およびメモリカード４の双方に対して動画データ、静止画データ、音声データの記録および／または再生が行われるように構成されている。
また、本実施の形態では、記録再生回路５６およびインターフェース回路６４によって特許請求の範囲の制御手段が構成されている。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいは、その動作を停止させる。言い換えると、動画撮影用操作部材４０は、いわゆる撮影スタート／ストップの操作部材として機能している。
【００１１】
次に、電子式ビューファインダー装置８０およびメモリカード収納室９０について説明する。
図４は収納位置にある電子式ビューファインダー装置８０の斜視図、図５は傾斜位置にある電子式ビューファインダー装置８０の斜視図、図６はメモリカード収納室９０の装脱口９６が開放された状態を示す斜視図、図７はメモリカード収納室９０の装脱口９６を介してメモリカード４が装脱されている状態を示す斜視図である。
図８は収納位置にある電子式ビューファインダー装置８０の断面図、図９は傾斜位置にある電子式ビューファインダー装置８０の断面図、図１０はメモリカード収納室９０の装脱口９６が開放された状態を示す断面図である。
【００１２】
電子式ビューファイダー装置８０は、撮像素子１８によって撮像された被写体像を視認するためのものである。
図８に示すように、電子式ビューファインダー装置８０は、前記のディスプレイパネル２２と、バックライト８２と、ケース８４と、光学系８６と、アイカップ８８とを備え、前後に延在している。
バックライト８２は、ディスプレイパネル２２に照明光を照射するものである。
ケース８４は、矩形の筒状を呈して前後に延在し、その内部にディスプレイパネル２２とバックライト８２を収容するものである。
アイカップ８８は、ケース８４の後端に接続され、電子式ビューファインダー装置８０の後端はアイカップ８６で構成されている。
光学系８６は、アイカップ８８に収容されディスプレイパネル２２に表示された画像を拡大するものである。
【００１３】
ケース８４の前端寄りの左右両側箇所には、軸心を左右方向に向けて支軸８４０２が突設され、ケース８４は支軸８４０２を介してカメラ本体１１に揺動可能に揺動可能に取着されている。なお、ケース８４の前部をカメラ本体１１に結合させる構造は従来公知の様々な構成が適用可能である。
より詳細には、図５に示すように、カメラ本体１１の上面後部に、上方および後方に開放状の収納凹部９２が前後に延在して設けられている。
図４、図５、図８、図９に示すように、電子式ビューファインダー装置８０は、収納凹部９２内に支軸８４０２を支点として上下に揺動可能に設けられている。
電子式ビューファインダー装置８０は、図４、図８に示すようにその延在方向を前後に向けた収納位置と、図５、図９に示すように、その延在方向を前部よりも後部が上方に位置するように傾斜する傾斜位置との間で揺動可能に設けられており、被写体の方向やユーザーの姿勢に応じて、電子式ビューファインダー装置８０を視認しやすい位置に揺動させて使用できるように図られている。
本実施の形態では、前記収納位置で電子式ビューファインダー装置８０は収納凹部９２に収納される。
また、電子式ビューファインダー装置８０が収納凹部９２に収納された収納位置で、電子式ビューファインダー装置８０の上面はカメラ本体１１の上面と連続状に延在している。
前記傾斜位置は、図６、図７、図１０に示すように、電子式ビューファインダー装置８０の後部が最も上方に位置した傾斜限界位置を含んでいる。
【００１４】
図８に示すように、カメラ本体１１には、電子式ビューファインダー装置８０が収納位置に位置した状態で電子式ビューファインダー装置８０の底面（ケース８４の底面）に臨む第１の壁部１１１０が設けられ、本実施の形態では、第１の壁部１１１０で収納凹部９２の底面が形成されている。
第１の壁部１１１０の後部の箇所は板体９４で構成されている。
メモリカード収納室９０は、第１の壁部１１１０および板体９４の下方の箇所に設けられている。
メモリカード収納室９０は前後に延在し、メモリカード４の装脱が可能で、メモリカード４の幅方向をカメラ本体１１の左右に向け前後方向をカメラ本体１１の前後に向けてメモリカード４を収納するように構成され、その装脱口９６を後方に向けて設けられている。メモリカード用コネクタ６６はこのメモリカード収納室９０の奥部に設けられている。また、メモリカード収納室９０には、メモリカード収容室９０に挿入されたメモリカード４がメモリカード用コネクタ６６に電気的に接続された装着状態を保持する従来公知の保持機構が設けられている。本実施の形態では、前記保持機構として、メモリカード４をメモリカード収納室９０に挿入して押し込むとメモリカード４がいったん装着状態に保持され、この装着状態においてメモリカード４をメモリカード収納室９０の奥部に向けて再度押し込むと装着状態が解除されメモリカード４が装脱口９６から後方に突出されて取り出しが可能となる、いわゆるプッシュプッシュ機構が用いられている。
【００１５】
図８乃至図１０に示すように、板体９４は、その前端に、左右方向に軸心を向けて延在形成された支軸９４０１がカメラ本体１１の箇所に回転可能に支持されることで、その前端を支点として上下に揺動可能に設けられている。
板体９４は、図５、図９に示すように、第１の壁部１１１０と同一面上に延在しメモリカード収納室９０および装脱口９６を閉塞する第１の揺動位置と、図６、図１０に示すように、板体９４の後部が上方に移動し装脱口９６を開放する第２の揺動位置との間で揺動する。
板体９４は、第１の揺動位置で第１の壁部１１１０と同一面上に延在する基板部９４０２と、基板部９４０２の先端から屈曲し第１の揺動位置で装脱口９６を閉塞し、第２の揺動位置で装脱口９６を開放する屈曲板部９４０４とを備えている。
本実施の形態では、板体９４の第２の揺動位置で、屈曲板部９４０４はカメラ本体１１の後面と連続状に延在し、カメラ本体１１の後面の一部を構成している。
本実施の形態では、図１０に示すように、板体９４はコイルスプリング９４１０により常時上方に付勢されており、図８に示すように、第１の揺動位置で屈曲板部９４０４の下端の突起９４１２と、装脱口９６の底面の後端を形成するカメラ本体１１の壁部の突起１１２０とが係合することで第１の揺動位置が保持され、また、指により屈曲板部９４０４を僅かに持ち上げると、コイルスプリング９４１０の弾性力により板体９４は上方に揺動し、図１０に示すように、カメラ本体１１のストッパ１１２２に板体９４が当接し、第２の揺動位置が保持されるように構成されている。したがって、本実施の形態では、屈曲板部９４０４の突起９４１２とカメラ本体１１の突起１１２０により、板体９４が第１の揺動位置に位置した際に、板体９４を第１の揺動位置に係止保持する係止機構が構成されている。
【００１６】
図４、図８に示すように、電子式ビューファインダー装置８０が前記収納位置に位置し、板体９４が前記第１の揺動位置に位置した状態で、電子式ビューファインダー装置８０の底面の後端と板体９４の上面後端とは近接し、後方から見た際の撮像装置１０の外観性が高められている。
図８に示すように、本実施の形態では、電子式ビューファインダー装置８０が前記収納位置に位置し、板体９４が前記第１の揺動位置に位置した状態で、電子式ビューファインダー装置８０の底面の凸部８０２０と板体９４の上面の一部とは当接している。したがって、電子式ビューファインダー装置８０が傾斜限界位置にあり、板体９４が第２の揺動位置に位置している状態で電子式ビューファインダー装置８０を収納位置に揺動させると、板体９４も自動的に第１の揺動位置に位置し、板体９４の閉塞動作の簡易化が図られている。すなわち、電子式ビューファインダー装置８０を収納位置に揺動するという簡単な操作を行うだけで、板体９４をいちいち第１の揺動位置に揺動させる操作を行うことなく、装脱口９６を閉塞してメモリカード４の脱落を確実に防止でき、板体９４の閉め忘れを防止でき、使い勝手を向上する上で有利となる。
なお、電子式ビューファインダー装置８０が前記収納位置に位置した状態では、板体９４を第２の揺動位置に揺動させることができず、メモリカード４を装脱することができない。
また、図１０に示すように、電子式ビューファインダー装置８０が前記傾斜限界位置に位置した状態で、板体９４を第２の揺動位置に揺動でき、メモリカード４を装脱することができる。
この場合、電子式ビューファインダー装置８０が前記傾斜限界位置に位置し、板体９４が第２の揺動位置に位置した状態で、電子式ビューファインダー装置８０の底面と板体９４との間に隙間が確保され、すなわち、電子式ビューファインダー装置８０が板体９４の上方に大きく離れ、メモリカード４の装脱が円滑に簡単になされるように図られている。
また、図８に示すように、板体９４が前記第１の揺動位置に位置した状態で、アイカップ８６の後端は屈曲板部９４０４よりも後方に位置している。より詳細には、板体９４が前記第１の揺動位置に位置した状態で、アイカップ８６の下部後端は屈曲板部９４０４よりも後方に位置し、アイカップ８６の下部後端に指を掛けることで収納位置に位置した電子式ビューファインダー装置８０を傾斜位置に簡単に揺動できるように図られている。
【００１７】
本実施の形態によれば、電子式ビューファインダー装置８０の直下のデッドスペースにメモリカード収納室９０およびその装脱口９６を配置したので、カメラ本体１１の後面の小型化を図る上で有利となる。
また、板体９４が第１の揺動位置に位置して装脱口９６が閉塞されていれば、従来と同様に電子式ビューファインダー装置８０を収納位置と傾斜限界位置との間で揺動させて自由に使用できることは無論のこと、メモリカード４に対するメモリカード収納室９０の保持機構による保持状態が仮に解除されてもメモリカード４が装脱口９６から脱落することを確実に防止でき使い勝手を向上する上で有利となる。
【００１９】
なお、本実施の形態では、カメラ本体１１に収納凹部９２が設けられ、電子式ビューファインダー装置８０が収納位置でこの収納凹部９２に収納される場合について説明したが、本発明は収納凹部９２を有さないカメラ本体１１を備える撮像装置１０にも無論適用可能である。
また、本実施の形態では、記録媒体として、ディスク状記録媒体としての光ディスクやメモリカードを用いる場合について説明したが、記録媒体はこれらに限定されるものではなく、例えば、テープ状記録媒体としての磁気テープ、あるいは、装脱可能なハードディスクドライブ装置、あるいは、ケース１２に内蔵されたハードディスクドライブ装置や半導体メモリであってもよい。
また、実施の形態では、撮像装置１０が動画データや静止画データの記録および再生の双方を行うものである場合について説明したが、動画データや静止画データの記録のみを行うものであってもよいことは無論である。
【図面の簡単な説明】
【００２０】
【図１】第１の実施の形態の撮像装置１０の構成を示す斜視図である。
【図２】第１の実施の形態の撮像装置１０の構成を示す斜視図である。
【図３】撮像装置１０の制御系の構成を示すブロック図である。
【図４】収納位置にある電子式ビューファインダー装置８０の斜視図である。
【図５】傾斜位置にある電子式ビューファインダー装置８０の斜視図である。
【図６】メモリカード収納室９０の装脱口９６が開放された状態を示す斜視図である。
【図７】メモリカード収納室９０の装脱口９６を介してメモリカード４が装脱されている状態を示す斜視図である。
【図８】収納位置にある電子式ビューファインダー装置８０の断面図である。
【図９】傾斜位置にある電子式ビューファインダー装置８０の断面図である。
【図１０】メモリカード収納室９０の装脱口９６が開放された状態を示す断面図である。
【符号の説明】
【００２１】
４……メモリカード、１０……撮像装置、１１……カメラ本体、１４……撮影光学系、８０……電子式ビューファインダー装置、９０……メモリカード収納室、９４……板体、９６……装脱口、１１１０……第１の壁部。
【図１】
0004666220.tif 000002
【図２】
0004666220.tif 000003
【図３】
0004666220.tif 000004
【図４】
0004666220.tif 000005
【図５】
0004666220.tif 000006
【図６】
0004666220.tif 000007
【図７】
0004666220.tif 000008
【図８】
0004666220.tif 000009
【図９】
0004666220.tif 000010
【図１０】
0004666220.tif 000011